(57)【要約】【課題】出力振幅の変更が容易な出力回路を提供する。【解決手段】出力回路は、入力端子ＩＮに入力信号が入力され、コレクタ端子が直列に接続された抵抗Ｒ１および抵抗Ｒ２を介して電源端子に接続されるトランジスタＱ２を含む増幅器１と、ベース端子がトランジスタＱ２のコレクタ端子に接続され、コレクタ端子が抵抗Ｒ１と抵抗Ｒ２の接続点に接続され、エミッタ端子が出力端子ＯＵＴに接続される第２のトランジスタを含む増幅器２と、を備え、出力端子ＯＵＴに接続される可変抵抗Ｒ３の抵抗値の変化に応じて出力信号の振幅が変化する。【選択図】図１
2009278190.tif 000002
【特許請求の範囲】
【請求項１】
入力信号が入力される増幅度が一定の第１の増幅器と、
前記第１の増幅器の出力が入力され、出力端子に接続された抵抗の抵抗値の大きさに応じて増幅度が変化する第２の増幅器と
を備え、
前記第１の増幅器の出力と前記第２の増幅器の出力を加算して出力する
ことを特徴とする出力回路。
【請求項２】
入力信号が入力され、コレクタ端子が直列に接続された第１の抵抗および第２の抵抗を介して電源端子に接続される第１のトランジスタを含む第１の増幅器と、
ベース端子が前記第１のトランジスタの前記コレクタ端子に接続され、コレクタ端子が前記第１の抵抗と前記第２の抵抗の接続点に接続され、エミッタ端子が出力端子に接続される第２のトランジスタを含む第２の増幅器と
を備え、
前記出力端子に抵抗値が可変の第３の抵抗が接続され、前記第３の抵抗の抵抗値の変化に応じて出力信号の振幅が変化する
ことを特徴とする出力回路。
【請求項３】
前記第３の抵抗と接地端子との間にキャパシタが接続され、前記出力信号の直流成分が除去される
ことを特徴とする請求項２に記載の出力回路。
【発明の詳細な説明】
【技術分野】
【０００１】
本発明は、出力回路に関する。
【背景技術】
【０００２】
増幅器の出力信号を他の回路へ供給する場合、出力インピーダンスを小さくするために、増幅器の出力にエミッタフォロワを接続した出力回路が用いられる（例えば、特許文献１参照。）。
【０００３】
例えば、色回路の色副搬送波出力をクロック信号として、他の回路へ供給する場合、色副搬送波信号を生成する増幅器の出力にエミッタフォロワを接続した出力回路が用いられる。
【０００４】
ところが、このような色副搬送波出力をクロック信号として供給する場合、そのクロック信号を受ける回路の状況により、入力クロック信号レベルに対する仕様が異なることがある。その場合、受け側回路の仕様に合わせて、色副搬送波の出力レベルを調整する必要がある。そこで、従来、増幅器の増幅度を変えて出力振幅を変更することが行われていた。
【０００５】
しかし、増幅器が集積回路に内蔵されている場合、増幅器の増幅度を変更するためには、集積回路の再設計が必要となり、時間とコストが掛かるという問題があった。
【特許文献１】特開平５−２９９１８号公報  （第３ページ、図１）
【発明の開示】
【発明が解決しようとする課題】
【０００６】
そこで、本発明の目的は、出力振幅の変更が容易な出力回路を提供することにある。
【課題を解決するための手段】
【０００７】
本発明の一態様によれば、入力信号が入力される増幅度が一定の第１の増幅器と、前記第１の増幅器の出力が入力され、出力端子に接続された抵抗の抵抗値の大きさに応じて増幅度が変化する第２の増幅器とを備え、前記第１の増幅器の出力と前記第２の増幅器の出力を加算して出力することを特徴とする出力回路が提供される。
【０００８】
また、本発明の別の一態様によれば、入力信号が入力され、コレクタ端子が直列に接続された第１の抵抗および第２の抵抗を介して電源端子に接続される第１のトランジスタを含む第１の増幅器と、ベース端子が前記第１のトランジスタの前記コレクタ端子に接続され、コレクタ端子が前記第１の抵抗と前記第２の抵抗の接続点に接続され、エミッタ端子が出力端子に接続される第２のトランジスタを含む第２の増幅器とを備え、前記出力端子に抵抗値が可変の第３の抵抗が接続され、前記第３の抵抗の抵抗値の変化に応じて出力信号の振幅が変化することを特徴とする出力回路が提供される。
【発明の効果】
【０００９】
本発明によれば、出力振幅の変更を容易に行うことができる。
【発明を実施するための最良の形態】
【００１０】
以下、本発明の実施例を図面を参照して説明する。
【実施例１】
【００１１】
図１は、本発明の実施例１に係る出力回路の構成の例を示す回路図である。
【００１２】
本実施例の出力回路は、入力端子ＩＮに入力される信号の電位と直流電源Ｖ１で与えられる定電位との差分を一定の増幅度で増幅する増幅器１と、増幅器１の出力が入力され、出力端子ＯＵＴに接続された可変抵抗Ｒ３の抵抗値の大きさにより増幅度が変更される増幅器２と、を備える。
【００１３】
増幅器１は、トランジスタＱ１およびＱ２を有し、トランジスタＱ１のエミッタ端子は抵抗Ｒ４を介し、トランジスタＱ２のエミッタ端子は抵抗Ｒ５を介して、共通の定電流源Ｉ０に接続されている。トランジスタＱ１のベース端子は入力端子ＩＮに接続され、トランジスタＱ２のベース端子は直流電源Ｖ１に接続されている。また、トランジスタＱ１のコレクタ端子は電源端子ＶＣＣに接続されている。
【００１４】
これに対して、トランジスタＱ２のコレクタ端子は、直列に接続された抵抗Ｒ１および抵抗Ｒ２を介して電源端子ＶＣＣに接続されている。
【００１５】
これにより、入力端子ＩＮへの入力信号をＶｉｎ、直流電源Ｖ１の電位をＶ１とすると、増幅器１は、その差分（Ｖｉｎ−Ｖ１）を一定の増幅度で増幅する。
【００１６】
ここで、入力信号Ｖｉｎは、直流電位Ｖ１に交流電位±ΔＶが重畳された交流信号であり、その電位をＶｉｎとすると、Ｖｉｎ＝Ｖ１±ΔＶと表されるものとする。
【００１７】
増幅器２は、ベース端子がトランジスタＱ２のコレクタ端子に接続され、コレクタ端子が抵抗Ｒ１と抵抗Ｒ２の接続点に接続され、エミッタ端子が出力端子ＯＵＴに接続されるトランジスタＱ３を含む。
【００１８】
出力端子ＯＵＴには、抵抗値を変化させることのできる可変抵抗Ｒ３が接続されている。これにより、トランジスタＱ３は、エミッタ接地型の増幅器を形成する。その電圧増幅度Ａｖは、抵抗Ｒ１の抵抗値をＲ１、可変抵抗Ｒ３の抵抗値をＲ３とすると、
Ａｖ＝−Ｒ１／Ｒ３
と表される。
【００１９】
この式は、増幅器２は、出力の位相が入力に対して反転し、その増幅度の絶対値が、可変抵抗Ｒ３の抵抗値が小さいほど大きくなることを示している。
【００２０】
この増幅器２の出力は、トランジスタＱ３のコレクタ端子が抵抗Ｒ１と抵抗Ｒ２の接続点に接続されているため、増幅器１へ戻され、その出力と加算され、その加算出力が出力端子ＯＵＴへ出力される。
【００２１】
したがって、出力端子ＯＵＴへ出力される電圧は、可変抵抗Ｒ３の抵抗値の大きさにより変化する。
【００２２】
このとき、可変抵抗Ｒ３の抵抗値が小さいほど増幅器２からの反転出力振幅が大きくなる。この増幅器２の反転出力が増幅器１の出力に加算されるため、出力端子ＯＵＴへ出力される振幅は、増幅器２の増幅度の絶対値が大きいほど小さくなる。
【００２３】
すなわち、可変抵抗Ｒ３の抵抗値との関係で見ると、出力端子ＯＵＴへ出力される振幅は、可変抵抗Ｒ３の抵抗値が小さいほど小さく、可変抵抗Ｒ３の抵抗値が大きいほど大きくなる。
【００２４】
図２に、この可変抵抗Ｒ３の抵抗値と出力端子ＯＵＴへ出力される振幅・電圧との関係を、動作シミュレーション結果の波形図で示す。
【００２５】
図２では、可変抵抗Ｒ３の抵抗値をｒ３１、ｒ３２、ｒ３３、ｒ３４と変化させたときの、出力端子ＯＵＴの出力電圧ＶＴ１、ＶＴ２、ＶＴ３、ＶＴ４をプロットした波形図である。ここで、可変抵抗Ｒ３の抵抗値にｒ３１＜ｒ３２＜ｒ３３＜ｒ３４の関係があると、出力電圧もＶＴ１からＶＴ４に向かって大きくなる。したがって、出力信号の振幅も、可変抵抗Ｒ３の抵抗値が大きくなるほど大きくなる。
【００２６】
このような本実施例によれば、出力回路の出力振幅を、出力端子に接続される抵抗の抵抗値を変えるだけで、容易に変更することができる。
【００２７】
そのため、この出力回路が集積回路に内蔵されている場合でも、集積回路の再設計を行うことなく、その出力振幅を変更することができ、従来要していた再設計の時間とコストを削減することができる。
【実施例２】
【００２８】
図３は、本発明の実施例２に係る出力回路の構成の例を示す回路図である。
【００２９】
本実施例の出力回路が実施例１と異なる点は、出力端子ＯＵＴに接続される可変抵抗Ｒ３と接地端子ＧＮＤとの間に、キャパシタＣが接続される点である。また、増幅器２ＡのトランジスタＱ３のエミッタ端子に定電流源Ｉ１が接続されている。
【００３０】
可変抵抗Ｒ３の抵抗値を変化させると、実施例１では出力信号の直流電圧成分が変化していたが、本実施例では、キャパシタＣの挿入により、出力信号から直流成分が除去される。
【００３１】
すなわち、本実施例では、可変抵抗Ｒ３の抵抗値を変化させると、出力信号の振幅のみが変化する。
【００３２】
図４に、本実施例における可変抵抗Ｒ３の抵抗値と出力信号電圧の変化の関係を、動作シミュレーション結果の波形図で示す。
【００３３】
図４に示すように、可変抵抗Ｒ３の抵抗値を、ｒ３１＜ｒ３２＜ｒ３３＜ｒ３４となるよう変化させると、その抵抗値の変化に応じた出力電圧ＶＴ１、ＶＴ２、ＶＴ３、ＶＴ４の振幅は、可変抵抗Ｒ３の抵抗値が大きくなるほど大きくなる。
【００３４】
このような本実施例によれば、出力端子から出力される信号の交流成分の振幅のみを変化させることができる。
【図面の簡単な説明】
【００３５】
【図１】本発明の実施例１に係る出力回路の構成の例を示す回路図。
【図２】実施例１の出力回路の動作シミュレーション結果の例を示す波形図。
【図３】本発明の実施例２に係る出力回路の構成の例を示す回路図。
【図４】実施例２の出力回路の動作シミュレーション結果の例を示す波形図。
【符号の説明】
【００３６】
１、２、２Ａ  増幅器
Ｑ１〜Ｑ３  トランジスタ
Ｒ１、Ｒ２、Ｒ４、Ｒ５  抵抗
Ｒ３  可変抵抗
Ｃ  キャパシタ
Ｉ０、Ｉ１  定電流源
Ｖ１  直流電源
【図１】
2009278190.tif 000003
【図２】
2009278190.tif 000004
【図３】
2009278190.tif 000005
【図４】
2009278190.tif 000006